(57)【要約】【課題】和室における鴨居と天井板との間の寸法が限られているときでも、鴨居に乗せて飾ることができ、かつ、壁面からの前方への傾斜角度を従来の叙勲額よりも小さくすることができる叙勲額を提供する。【解決手段】略四角形の枠体１１内には勲章を収納する勲章収納部と勲記１７を収納する勲記収納部１９とを備えさせ、該勲章収納部には勲章を見せるための長方形状の勲章用開口部を前面に備えさせ、該勲記収納部には勲記を見せるための長方形状の勲記用開口部２５を前面に備えさせ、該勲章用開口部及び該勲記用開口部と枠体との間の部分並びに該勲章用開口部と該勲記用開口部との間の部分には飾り板２７を配設してなる叙勲額において、該勲記は、該勲記の上縁１７ａと下縁１７ｂとが該勲記用開口部の上方と下方とにおける該飾り板の後側にて該枠体の内面１２に近接又は当接するように配設する。【選択図】図２
0003176148.tif 000002
【実用新案登録請求の範囲】
【請求項１】
略四角形の枠体内には勲章を収納する勲章収納部と勲記を収納する勲記収納部とを備えさせ、該勲章収納部には勲章を見せるための長方形状の勲章用開口部を前面に備えさせ、該勲記収納部には勲記を見せるための長方形状の勲記用開口部を前面に備えさせ、該勲章用開口部及び該勲記用開口部と枠体との間の部分並びに該勲章用開口部と該勲記用開口部との間の部分には飾り板を配設してなる叙勲額において、
該勲記は、該勲記の上縁と下縁とが該勲記用開口部の上方と下方とにおける該飾り板の後側にて該枠体の内面に近接又は当接するように配設したことを特徴とする叙勲額。
【請求項２】
前記枠体内には、前記勲章収納部と前記勲記収納部と共に位記を収納する位記収納部を備えさせ、該位記収納部には位記を見せるための長方形状の位記用開口部を前面に備えさせ、該勲章用開口部、該勲記用開口部及び該位記用開口部と前記枠体との間の部分並びに該勲章用開口部と該勲記用開口部と該位記用開口部との間の部分には飾り板を配設したことを特徴とする請求項１に記載の叙勲額。
【考案の詳細な説明】
【技術分野】
【０００１】
本考案は、叙勲額に関するものである。
【０００２】
本考案においては、叙勲額は褒章額を含み、勲章は褒章を含み、勲記は褒章の賞状を含むものとする。
【背景技術】
【０００３】
勲章を勲記等と共に飾るための叙勲額としては、例えば実用新案登録第３１１７７４５号公報に示すように、略四角形の枠体内に勲章を収納する勲章収納部と勲記を収納する勲記収納部とを備えた額縁状のものが知られている。以下、このような従来の叙勲額を「従来の叙勲額」という。
【０００４】
従来の叙勲額においては、勲章収納部には勲章を見せるための長方形状の勲章用開口部を前面に備えさせ、勲記収納部には勲記を見せるための長方形状の勲記用開口部を前面に備えさせ、該勲章用開口部及び該勲記用開口部と枠体との間の部分並びに該勲章用開口部と該勲記用開口部との間の部分には飾り板が隙間なく配設されている。
【先行技術文献】
【特許文献】
【０００５】
【特許文献１】実用新案登録第３１１７７４５号公報
【考案の概要】
【考案が解決しようとする課題】
【０００６】
叙勲者に勲章と共に与えられる勲記は、例えば、縦約４２ｃｍ、横約５９ｃｍの寸法を有する極めて大きな証書である。
【０００７】
従来の叙勲額においては、勲記は、そのほぼ全面が勲記収納部における勲記用開口部に露出するように、該勲記収納部に収納されている。
【０００８】
しかして、勲記の縦寸法は、前述の如く極めて大きいため、叙勲額全体の縦寸法も極めて大きくせざるを得ない。その結果、従来の叙勲額を和室の鴨居上に乗せて飾る場合には、鴨居と天井板との間の寸法が限られているため、該叙勲額を鴨居上に乗せて飾ることが不可能であり、又はこれが可能であったとしても該叙勲額を壁面より前方に大きく傾斜させなければならない。図３において、符号１に示すものは従来の叙勲額であり、符号ｄに示すものは従来の叙勲額１と壁面との間の傾斜角度である。
【０００９】
しかるに、図３における鎖線に示す如く、叙勲額１を前方に大きく傾斜させた場合には、叙勲額としての体裁が損なわれ、叙勲額の吊り紐３も長くなって好ましくない。
【００１０】
なお、勲記の上縁と下縁とを切除し又は勲記の上縁と下縁とを折り曲げれば叙勲額全体の縦寸法が小さくなるため、鴨居と天井板との間の寸法が限られているときでも、叙勲額における壁面からの前方への傾斜角度を小さくした状態で叙勲額を鴨居に乗せて飾ることが可能であるが、勲記の上縁と下縁とを切除し又は勲記の上縁と下縁とを折り曲げることは、決して叙勲者の望むところではない。
【００１１】
本考案は、従来の叙勲額における上述の如き問題を解決し、和室における鴨居と天井板との間の寸法が限られているときでも、鴨居に乗せて飾ることができ、かつ、壁面からの前方への傾斜角度を上記従来の叙勲額よりも小さくすることができるようにした叙勲額を提供しようとしてなされたものである。
【課題を解決するための手段】
【００１２】
上記課題を解決するために、本考案は下記の叙勲額を提供する。
【００１３】
（１）略四角形の枠体内には勲章を収納する勲章収納部と勲記を収納する勲記収納部とを備えさせ、該勲章収納部には勲章を見せるための長方形状の勲章用開口部を前面に備えさせ、該勲記収納部には勲記を見せるための長方形状の勲記用開口部を前面に備えさせ、該勲章用開口部及び該勲記用開口部と枠体との間の部分並びに該勲章用開口部と該勲記用開口部との間の部分には飾り板を配設してなる叙勲額において、
該勲記は、該勲記の上縁と下縁とが該勲記用開口部の上方と下方とにおける該飾り板の後側にて該枠体の内面に近接又は当接するように配設したことを特徴とする叙勲額（請求項１）。
【００１４】
（２）前記枠体内には、前記勲章収納部と前記勲記収納部と共に位記を収納する位記収納部を備えさせ、該位記収納部には位記を見せるための長方形状の位記用開口部を前面に備えさせ、該勲章用開口部、該勲記用開口部及び該位記用開口部と前記枠体との間の部分並びに該勲章用開口部と該勲記用開口部と該位記用開口部との間の部分には飾り板を配設する（請求項２）。
【考案の効果】
【００１５】
［請求項１の考案］
請求項１の考案によれば、勲記は、該勲記の上縁と下縁とが該勲記用開口部の上方と下方とにおける該飾り板の後側にて該枠体の内面に近接又は当接するように配設したため、叙勲額の縦寸法を上記従来の叙勲額の縦寸法よりも小さくすることができる。この点について、図２を参照して示す。図２における左図は請求項１の考案による叙勲額１’を示し、図２における右図は従来の叙勲額１を示す。請求項１の考案による叙勲額１’の縦寸法は、勲記の上縁と下縁とが飾り板の後側に入り込む分だけ、上記従来の叙勲額１の縦寸法よりも小さくすることができる。
【００１６】
すなわち、上記従来の叙勲額１の縦寸法は、勲記用開口部の縦寸法ａ（勲記の縦寸法）と、該勲記用開口部の上方における該飾り板の縦方向の寸法ｃと、該勲記用開口部の下方における該飾り板の縦方向の寸法ｃと、枠体の上縁の厚さｃと、枠体の下縁の厚さｃ（図２）との合計にほぼ等しい。
換言すれば、上記従来の叙勲額１の縦寸法＝ａ＋ｃ＋ｃ＋ｂ＋ｂである。
これに対し、請求項１の考案による叙勲額１’の縦寸法は、枠体の上縁内面と下縁内面との間の寸法ａ’（勲記の縦寸法）と、枠体の上縁の厚さｂと、枠体の下縁の厚さｂとの合計にほぼ等しい。
換言すれば、請求項１の考案による叙勲額１’の縦寸法＝ａ’＋ｂ＋ｂである。
しかして、ａ’、ａはいずれも勲記の縦寸法であり、ａ’＝ａである。
したがって、上記従来の叙勲額１の縦寸法は、ｃ＋ｃに対応する寸法だけ上記従来の叙勲額１の縦寸法よりも小さのである。
【００１７】
以上述べたように、請求項１の考案によれば、叙勲額の縦寸法を上記従来の叙勲額の縦寸法よりも小さくすることができるため、和室における鴨居と天井板との間の寸法が限られているときでも、請求項１の考案の叙勲額１’（図３）を和室の鴨居に乗せて飾ることができ、かつ、壁面からの前方への傾斜角度ｄ’（図３）を上記従来の叙勲額１（図３）の傾斜角度ｄ（図３）よりも小さくすることができる。その結果、勲記の上縁と下縁とを切除し又は勲記の上縁と下縁とを折り曲げることなく、叙勲額を好ましい角度にて、かつ、短い吊り紐により体裁よく鴨居に乗せて飾ることができる。
【００１８】
［請求項２の考案］
請求項２の考案による叙勲額は、前記請求項１の考案による叙勲額に更に位記収納部を加えてなるものであり、請求項２の考案と同様の効果を発揮する。なお、位記収納部に収納される位記は、叙勲者が既に死亡している場合に与えられるものである。
【図面の簡単な説明】
【００１９】
【図１】図１は、本考案による叙勲額の一例を示す正面図である。
【図２】図２は、図１のＩＩ−ＩＩ線における断面図（左図）と、従来の叙勲額における対応断面図（右図）であり、両断面図を並べて比較して示す。
【図３】図３は、叙勲額を鴨居乗せて飾っている状態を示す側面図である。
【図４】図４は、本考案による叙勲額の別の一例を示す正面図である。
【考案を実施するための形態】
【００２０】
本考案による叙勲額１’は、略四角形の枠体１１内に勲章１３を収納する勲章収納部１５と勲記１７を収納する勲記収納部１９とを備えている。図１に示す勲章収納部１５には勲章１３と共に菊の紋章２１が収納されている。
【００２１】
勲記１７には、例えば下記の文言が縦書きに書されている。
「日本国天皇は○○○○に瑞寶單光章を授与する
皇居において璽をおさせる
平成○○年○○月○○日
内閣総理大臣  ○○○○
内閣府賞勲局長  ○○○○
第○○○○号」
【００２２】
勲章収納部１５には勲章１３を見せるための長方形状の勲章用開口部２３を前面に備えさせる。符号２４に示すものは、勲章用開口部２３の枠部である。
【００２３】
勲記収納部１９には勲記１７を見せるための長方形状の勲記用開口部２５を前面に備えさせる。符号２６に示すものは、勲記用開口部２５の枠部である。
【００２４】
勲章用開口部２３及び勲記用開口部２５と枠体１１との間の部分並びに該勲章用開口部２３と該勲記用開口部２５との間の部分には飾り板２７を配設する。枠体１１内における勲章用開口部２３と勲記用開口部２５と飾り板２７との前面にはアクリル板等の透明板２９を取り付ける。
【００２５】
本考案においては、勲記１７は、該勲記１７の上縁１７ａと下縁１７ｂとが勲記用開口部２５の上方と下方とにおける飾り板２７の後側にて該枠体１１の内面１２に近接又は当接するように配設する。図２参照。
【００２６】
勲記１７の前面と勲記用開口部２５の枠部２６との間には、アクリル板等の透明板３１を取り付ける。勲記１７の背面にはクッション板３３を取り付け、該クッション板３３の背面には背面板３５を取り付ける。枠体１１の背面には背面板３５を押える押え具３７を備えさせる。
【００２７】
図４に示す叙勲額は、前記枠体１１内には、前記勲章収納部１５と前記勲記収納部１９と共に位記４１を収納する位記収納部４３を備えており、位記額付叙勲額とも呼ばれている。
【００２８】
位記４１には、例えば下記の文言が縦書きに書されている。
「正五位に叙する
平成○○年○○月○○日
内閣総理大臣  ○○○○」
【００２９】
位記収納部４３には位記４１を見せるための長方形状の位記用開口部４５を前面に備えさせる。符号４６に示すものは、位記用開口部４５の枠部である。
【００３０】
勲章用開口部２３、勲記用開口部２５及び位記用開口部４５と枠体１１との間の部分並びに該勲章用開口部２３と該勲記用開口部２５と該位記用開口部４５との間の部分には前記飾り板２７を配設する。
【００３１】
図４に示す叙勲額においては、菊の紋章２１は勲章収納部１５の外側に取り付けられている。
【００３２】
図３における符号３に示すものは従来の叙勲額１における吊り紐、符号３’
に示すものは本考案による叙勲額１’における吊り紐である。図３において、符号５１は鴨居、符号５３はクッション材、符号５５は壁、符号５７は天井板である。
【符号の説明】
【００３３】
１  従来の叙勲額
１’  本考案による叙勲額
３  従来の叙勲額における吊り紐
３’  本考案による叙勲額における吊り紐
１１  枠体
１２  内面
１３  勲章
１５  勲章収納部
１７  勲記
１７ａ  上縁
１７ｂ  下縁
１９  勲記収納部
２１  菊の紋章
２３  勲章用開口部
２４  枠部
２５  勲記用開口部
２６  枠部
２７  飾り板
２９  透明板
３１  透明板
３３  クッション板
３５  背面板
３７  押え具
４１  位記
４３  位記収納部
４５  位記用開口部
４６  枠部
５１  鴨居
５３  クッション材
５５  壁
５７  天井板
【図１】
0003176148.tif 000003
【図２】
0003176148.tif 000004
【図３】
0003176148.tif 000005
【図４】
0003176148.tif 000006